(57)【要約】【課題】リード形状を修正することにより、高い精度のトラッキングリニアリティ調整が可能なヘリカルスキャン型磁気テープ制御装置を提供する。【解決手段】本発明のヘリカルスキャン型磁気テープ制御装置は、磁気ヘッドを搭載する回転ドラムと、前記回転ドラムを回転可能に載置する固定ドラムと、固定ドラム取り付け面を有し、前記固定ドラムを前記固定ドラム取り付け面に当接して固定する固定ドラム取り付け部材と、１又は複数の第１のネジと、を有し、前記固定ドラムは、その磁気テープ走行面を含む外周の外側に設けられ、１又は複数の第１のネジ取り付け穴をそれぞれ有する１又は複数のネジ取り付け部を有し、前記第１のネジは、前記第１のネジ取り付け穴に取り付けられ、その先端が、前記固定ドラム取り付け面又はそれと実質的に同じ側に有る前記固定ドラム取り付け部材の面に当接して又は隙間を介して向かい合う。【選択図】        図１
2005025855.tif 000002
【特許請求の範囲】
【請求項１】
磁気ヘッドを搭載する回転ドラムと、
前記回転ドラムを回転可能に載置する固定ドラムと、
固定ドラム取り付け面を有し、前記固定ドラムを前記固定ドラム取り付け面に当接して固定する固定ドラム取り付け部材と、
１又は複数の第１のネジと、
を有し、
前記固定ドラムは、その磁気テープ走行面を含む外周の外側に設けられ、１又は複数の第１のネジ取り付け穴をそれぞれ有する１又は複数のネジ取り付け部を有し、
前記第１のネジは、前記第１のネジ取り付け穴に取り付けられ、その先端が、前記固定ドラム取り付け面又はそれと実質的に同じ側に有る前記固定ドラム取り付け部材の面に当接して又は隙間を介して向かい合う、
ことを特徴とするヘリカルスキャン型磁気テープ制御装置。
【請求項２】
磁気ヘッドを搭載する回転ドラムと、
前記回転ドラムを回転可能に載置する固定ドラムと、
固定ドラム取り付け面と、前記固定ドラム取り付け面又はそれと実質的に同じ側に有る面に設けられた１又は複数の第１のネジ取り付け穴とを有し、前記固定ドラムを前記固定ドラム取り付け面に当接して固定する固定ドラム取り付け部材と、
１又は複数の第１のネジと、
を有し、
前記固定ドラムは、その磁気テープ走行面を含む外周の外側に設けられ、前記第１のネジ取り付け穴に対応する位置に設けられた１又は複数の第１のネジ貫通穴をそれぞれ有する１又は複数のネジ取り付け部を有し、
前記第１のネジ取り付け穴の近傍において、前記固定ドラムと前記固定ドラム取り付け部材との間には隙間が設けられ、
前記第１のネジは、前記第１のネジ貫通穴と前記隙間とを通って、前記第１のネジ取り付け穴に取り付けられる、
ことを特徴とするヘリカルスキャン型磁気テープ制御装置。
【請求項３】
少なくとも１個の前記第１のネジ取り付け穴は、回転する前記磁気ヘッドが規定する平面に対して傾斜する、前記固定ドラムの外周上の磁気テープ走行面の入側の端、出側の端、又は入側の端と出側の端との略中間位置の近傍に設けられる、ことを特徴とする請求項１又は請求項２に記載のヘリカルスキャン型磁気テープ制御装置。
【請求項４】
複数の第２のネジを、前記固定ドラム取り付け部材の下側から、前記固定ドラム取り付け部材に設けられた貫通穴を介して、前記固定ドラムの下面の前記外周の内側に設けられた第２のネジ取り付け穴に取り付けることにより、前記固定ドラムは前記固定ドラム取り付け部材に固定されており、
偶数個の前記第１のネジ取り付け穴が、前記回転ドラムの中心と少なくとも１つの前記第２のネジ取り付け穴とを結ぶ直線に対して、略線対称の位置に設けられる、
ことを特徴とする請求項１又は請求項２に記載のヘリカルスキャン型磁気テープ制御装置。
【請求項５】
偶数個の前記第１のネジ取り付け穴又は前記第１のネジ貫通穴を有する前記ネジ取り付け部が前記固定ドラムの円周方向の隣接部位から前記固定ドラムの半径方向に突起し、少なくとも前記第２のネジ取り付け穴の近傍において前記固定ドラムは前記固定ドラム取り付け面と当接しており、少なくとも前記回転ドラムの中心と前記第２のネジ取り付け穴とを結ぶ直線の両側では、前記ネジ取り付け部と前記固定ドラム取り付け面との間に隙間が設けられている、ことを特徴とする請求項４に記載のヘリカルスキャン型磁気テープ制御装置。
【発明の詳細な説明】
【０００１】
【発明の属する技術分野】
本発明は、ヘリカルスキャン型磁気テープ制御装置に関する。
【０００２】
【従来の技術】
近年、ヘリキャルスキャン型磁気テープ制御装置（磁気記録装置、磁気再生装置及び磁気記録再生装置を含む。）がデータ記録及び／又は再生用ストリーマとして用いられている。ヘリキャルスキャン型磁気テープ制御装置においては、磁気ヘッドがデータを磁気テープ上に適切に記録し又は再生するために、及び磁気テープの互換性を保証するため、磁気テープが回転ドラムに適正に巻き付くように磁気テープの走行調整を行わなければならない。
【０００３】
特開平１１−２９６８２８号公報に、磁気テープの走行調整機構を備えた従来例の磁気記録再生装置が記載されている。以下、特開平１１−２９６８２８号公報に記載された従来例の磁気記録再生装置について説明する。
図５は従来例の磁気記録再生装置の図である。図５において、５０１はドラムアセンブリである。ドラムアセンブリ５０１は、磁気ヘッドを搭載する回転ドラム５１１、磁気テープ走行面の底辺を規定するリード５０３を有する固定ドラム５０２、プレート５０４、相互に１２０度の角度を隔てて設けられた３個の調整ネジ取り付け穴５０８と１個のシャフト穴５１２とを有するガイドプレート５０５、ホルダ５０７、３個の調整ネジ５０９、シャフト５１０を有する。
【０００４】
ドラムアセンブリ５０１は、ネジによってヘリカルスキャン型磁気記録再生装置本体に固定されている。具体的には、固定ドラム５０２とプレート５０４とは、ネジによってヘリカルスキャン型磁気記録再生装置本体（図示しない。）に固定されている。ガイドプレート５０５は、ガイドプレート取り付けネジ５０６により、プレート５０４に取り付けられている。円盤状のホルダ５０７は、シャフト５１０の上端近傍に取り付けられている。シャフト５１０は、ガイドプレート５０５のシャフト穴５１２と、固定ドラム５０２とによって固定されている。回転ドラム５１１は、ベアリングを介してシャフト５１０に回転可能に取り付けられている。
【０００５】
３個の調整ネジ５０９は、調整ネジ取り付け穴５０８に取り付けられている。３個の調整ネジ５０９の先端は、ホルダ５０７に当接している。３個の調整ネジ５０９を適宜回転させ、それらの先端でホルダ５０７の上部を押すことによってシャフト５１０の傾きを調整する。この調整は、トラック位置、トラックの直線性（磁気ヘッドが磁気テープ上を走行する軌跡であるトラックの直線性を意味する。トラッキングリニアリティと呼ぶ。）に関する基準テープを走行させながら、その再生波形が最適になるように行う。
【０００６】
【特許文献１】
特開平１１−２９６８２８号公報
【０００７】
【発明が解決しようとする課題】
上記の従来例の磁気記録再生装置においてはドラムアセンブリ全体の傾きを調整する機能しか有していなかった故、固定ドラムに設けられたリードの直線性の歪みそのものに起因するトラッキングリニアリティの不良を直すことが出来なかった。
従来例の走行調整機構は、ドラムアセンブリ上部に設けられている。しかしながら、データストレージ装置においては、そのフォームファクタによりドラムアセンブリ上部に走行調整機構を設けることは出来ない。例えば、固定軸の周りにベアリングを介して回転ドラムを回転可能に取り付ける構造によっては、回転時の偏心精度を所定の規格値以下にすることは困難である。データストレージ装置は、固定ドラムの上に、例えば流体軸受けを介して、回転ドラムを載置する構造を有する。
【０００８】
多くのユーザは多数のデータストレージ装置をラックに搭載して使用する。データストレージ装置の高さを低くする程、１台のラックにより多くのデータストレージ装置を収納でき、データストレージ装置の収納スペースを節約できる。従来例の磁気記録再生装置では、回転ドラム５１１の上に、円盤状のホルダ５０７と、ガイドプレート５０５と、調整ネジ５０９とを設ける必要がある故、それだけ装置の高さが高くなる。装置の高さが高くなれば、１台の標準ラックに搭載可能なデータストレージ装置の数が減少する故、その収納スペースが増大し、ユーザにとって好ましくない。
【０００９】
現在のヘリカルスキャン型磁気テープ制御装置においては、トラッキングリニアリティを部品の加工精度（特に固定ドラムの外周に形成されたリードの直線性の精度）に委ねて実現している。しかし、加工のばらつきや加工精度の限界により、部品の加工精度のみの向上によっては、ヘリカルスキャン型磁気テープ制御装置（例えばデータストレージ装置）を、高密度記録に伴う狭トラック化に対応させることが困難になってきている。
本発明は、上記の問題を解決しようとするもので、ドラムアセンブリの高さが低く（回転ドラム上に機構を有さず）、磁気テープが回転ドラムに適正に巻き付くように（規格に適合するトラッキングリニアリティを有するように）磁気テープの走行調整を行うことができるヘリカルスキャン型磁気テープ制御装置を提供することを目的とする。
【００１０】
【課題を解決するための手段】
上記課題を解決するため本発明は以下の構成を有する。本発明のヘリカルスキャン型磁気テープ制御装置においては、固定ドラムの周辺に１又は複数のネジ取付け部を設ける。ネジ取付け部に取り付けたネジを締め付けることにより、ネジ先端部が固定ドラム取り付け部材の固定ドラム取付け面を圧迫する。又は、ネジ取付け部に設けたネジ貫通穴を通したネジを、固定ドラム取り付け部材に取り付け、それを締め付けることにより、ネジの頭が固定ドラムの周辺部を圧迫する。
【００１１】
ネジの締め付け応力により固定ドラムが変形する。ヘリカルスキャン型磁気テープ制御装置においては、ドラムアセンブリの磁気テープ走行面（磁気テープが回転ドラムに巻き付いて走行する面）の底辺は、固定ドラムの外周に斜めに設けられたリードによって規定される。ネジの締め付け量を調整することにより、固定ドラムの変形量を調整し、リード形状を適正に修正することが可能となる。
ネジ締め付け力を受ける支点となる突起を設け、突起の両側（ドラムの円周方向の両側）にネジを設けることにより、リード形状を高くも低くも両方向に修正出来る。これにより、磁気テープが回転ドラムに適正に巻き付くように（規格に適合するトラッキングリニアリティを有するように）磁気テープの走行調整を行うことができる。
【００１２】
【発明の実施の形態】
請求項１に記載の発明は、磁気ヘッドを搭載する回転ドラムと、前記回転ドラムを回転可能に載置する固定ドラムと、固定ドラム取り付け面を有し、前記固定ドラムを前記固定ドラム取り付け面に当接して固定する固定ドラム取り付け部材と、１又は複数の第１のネジと、を有し、前記固定ドラムは、その磁気テープ走行面を含む外周の外側に設けられ、１又は複数の第１のネジ取り付け穴をそれぞれ有する１又は複数のネジ取り付け部を有し、前記第１のネジは、前記第１のネジ取り付け穴に取り付けられ、その先端が、前記固定ドラム取り付け面又はそれと実質的に同じ側に有る前記固定ドラム取り付け部材の面に当接して又は隙間を介して向かい合う、ことを特徴とするヘリカルスキャン型磁気テープ制御装置である。
【００１３】
第１のネジの先端が固定ドラム取り付け部材に加える力を増加させると、第１のネジが固定ドラムと固定ドラム取り付け部材とを引き離す方向に働く。固定ドラムは他の取り付け部材（例えば第２のネジ）によって固定ドラム取り付け部材に取り付けられている。そのため、第１のネジと、他の取り付け部材との間で固定ドラムを歪ませる応力が発生する。
本発明は、ネジを締め付けることにより発生した応力で、固定ドラムを変形させ、固定ドラムに形成されたリード形状を適正に修正し、磁気テープが回転ドラムに適正に巻き付くように磁気テープの走行を調整できるヘリカルスキャン型磁気テープ制御装置を実現するという作用を有する。
【００１４】
好ましくは、固定ドラム取り付け部材及び第２のネジは固定ドラム取より高い剛性を有する。
固定ドラムを他の取り付け部材（例えば第２のネジ）によって固定ドラム取り付け部材に取り付けただけで、磁気テープが回転ドラムに適正に巻き付く場合は（修正不要の場合は）、第１のネジの先端が、固定ドラム取り付け面又はそれと実質的に同じ側に有る固定ドラム取り付け部材の面に当接しないようにする（そこに隙間を設ける。）。
【００１５】
請求項２に記載の発明は、磁気ヘッドを搭載する回転ドラムと、前記回転ドラムを回転可能に載置する固定ドラムと、固定ドラム取り付け面と、前記固定ドラム取り付け面又はそれと実質的に同じ側に有る面に設けられた１又は複数の第１のネジ取り付け穴とを有し、前記固定ドラムを前記固定ドラム取り付け面に当接して固定する固定ドラム取り付け部材と、１又は複数の第１のネジと、を有し、前記固定ドラムは、その磁気テープ走行面を含む外周の外側に設けられ、前記第１のネジ取り付け穴に対応する位置に設けられた１又は複数の第１のネジ貫通穴をそれぞれ有する１又は複数のネジ取り付け部を有し、前記第１のネジ取り付け穴の近傍において、前記固定ドラムと前記固定ドラム取り付け部材との間には隙間が設けられ、前記第１のネジは、前記第１のネジ貫通穴と前記隙間とを通って、前記第１のネジ取り付け穴に取り付けられる、ことを特徴とするヘリカルスキャン型磁気テープ制御装置である。
【００１６】
第１のネジを固定ドラム取り付け部材に締め付けると、第１のネジの頭と取り付け部分とが、固定ドラムが固定ドラム取り付け部材に近づく方向に（固定ドラムと固定ドラム取り付け部材との間に設けられた隙間が狭くなる方向に）、固定ドラムを締め付ける。固定ドラムは他の取り付け部材（例えば第２のネジ）によって固定ドラム取り付け部材に取り付けられている。そのため、第１のネジと、他の取り付け部材との間で固定ドラムを歪ませる応力が発生する。
本発明は、ネジを締め付けることにより発生した応力で、固定ドラムを変形させ、固定ドラムに形成されたリード形状を適正に修正し、磁気テープが回転ドラムに適正に巻き付くように磁気テープの走行を調整できるヘリカルスキャン型磁気テープ制御装置を実現するという作用を有する。
好ましくは、固定ドラム取り付け部材及び第２のネジは固定ドラム取より高い剛性を有する。
【００１７】
請求項３に記載の発明は、少なくとも１個の前記第１のネジ取り付け穴は、回転する前記磁気ヘッドが規定する平面に対して傾斜する、前記固定ドラムの外周上の磁気テープ走行面の入側の端、出側の端、又は入側の端と出側の端との略中間位置の近傍に設けられる、ことを特徴とする請求項１又は請求項２に記載のヘリカルスキャン型磁気テープ制御装置である。
【００１８】
ヘリカルスキャン型磁気テープ制御装置において、固定ドラムの外周上の磁気テープ走行面の入側の端、出側の端、又は入側の端と出側の端との略中間位置における、磁気テープ走行調整が重要である。本発明によれば、これらの位置の近傍において固定ドラムを変形させ、固定ドラムに形成されたリード形状を適正に修正し、磁気テープが回転ドラムに適正に巻き付くように磁気テープの走行を調整できる。
【００１９】
請求項４に記載の発明は、複数の第２のネジを、前記固定ドラム取り付け部材の下側から、前記固定ドラム取り付け部材に設けられた貫通穴を介して、前記固定ドラムの下面の前記外周の内側に設けられた第２のネジ取り付け穴に取り付けることにより、前記固定ドラムは前記固定ドラム取り付け部材に固定されており、偶数個の前記第１のネジ取り付け穴が、前記回転ドラムの中心と少なくとも１つの前記第２のネジ取り付け穴とを結ぶ直線に対して、略線対称の位置に設けられる、ことを特徴とする請求項１又は請求項２に記載のヘリカルスキャン型磁気テープ制御装置である。
【００２０】
第１のネジの先端が固定ドラム取り付け部材に加える力を増加させると、第１のネジと第２のネジとの間で固定ドラムを歪ませる応力が発生する。回転ドラムの中心と第２のネジ取り付け穴とを結ぶ直線に対して、略線対称の位置に設けられた複数（典型的には２つ）の第２のネジと第１のネジとの間で働く応力は、その直線に対して逆方向となる。本発明は、リードを高くも低くも、両方向に修正可能なヘリカルスキャン型磁気テープ制御装置を実現するという作用を有する。
【００２１】
請求項５に記載の発明は、偶数個の前記第１のネジ取り付け穴又は前記第１のネジ貫通穴を有する前記ネジ取り付け部が前記固定ドラムの円周方向の隣接部位から前記固定ドラムの半径方向に突起し、少なくとも前記第２のネジ取り付け穴の近傍において前記固定ドラムは前記固定ドラム取り付け面と当接しており、少なくとも前記回転ドラムの中心と前記第２のネジ取り付け穴とを結ぶ直線の両側では、前記ネジ取り付け部と前記固定ドラム取り付け面との間に隙間が設けられている、ことを特徴とする請求項４に記載のヘリカルスキャン型磁気テープ制御装置である。
【００２２】
第２のネジ取り付け穴の近傍にあって、固定ドラム取り付け面と当接する固定ドラムの底面の突起（固定ドラム取り付け部材が突起を有し、その突起が固定ドラムの底面と当接しても良い。）に対し、片側の第１のネジを締め付けることにより、突起が支点となり、締め付けた側のリードは高く（請求項２の発明においては低く）、逆側は低く（請求項２の発明においては高く）できる。本発明は、両方向にリードを修正可能なヘリカルスキャン型磁気テープ制御装置を実現するという作用を有する。
以下本発明の実施をするための最良の形態を具体的に示した実施の形態について図面とともに記載する。
【００２３】
《実施の形態１》
図１から図３を用いて本発明の実施の形態１のヘリカルスキャン型磁気テープ制御装置について説明する。図１は、実施の形態１のヘリカルスキャン型磁気テープ制御装置のドラムアセンブリの全体図である。図２は、実施の形態１のヘリカルスキャン型磁気テープ制御装置の固定ドラムと固定ドラム取り付け部材との接合部分の拡大図である。図３は、実施の形態１のヘリカルスキャン型磁気テープ制御装置のドラムアセンブリの要部の上面図である。
【００２４】
図１〜図３において、１はドラムアセンブリ（モータ部は図示していない。）である。ドラムアセンブリ１は、磁気ヘッドを搭載する回転ドラム１３、回転ドラム１３を回転可能に載置する固定ドラム４、固定ドラム取り付け面１４を有し、３個の固定ドラム取り付け部材３、３本の固定ネジ（第２のネジ）２、４本の調整ネジ（第１のネジ）６ａ、６ｂ、６ｃ、６ｄを有する。
固定ドラム４は、その外周（磁気テープ走行面１５を含む。）の外側に互いに１２０度の角度で隔てられて設けられ、１又は複数の調整ネジ取り付け穴５をそれぞれ有する３個のネジ取り付け部１６を有する。固定ドラム４の外周には、その磁気テープ走行面１５の底辺を規定するリード１０が設けられている。
【００２５】
３個の固定ドラム取り付け部材３は、ヘリカルスキャン型磁気テープ制御装置のシャーシに、互いに１２０度の角度で隔てられて取り付けられている。これに代えて、３個の固定ドラム取り付け部材３はヘリカルスキャン型磁気テープ制御装置のシャーシの一部を構成しても（一体構造であっても）良い。
３本の固定ネジ２を、固定ドラム取り付け部材３の下側から、固定ドラム取り付け部材３に設けられた貫通穴１１を介して、固定ドラム４の下面の外周の内側に設けられた固定ネジ取り付け穴１７に取り付けることにより、固定ドラム４は固定ドラム取り付け部材３に固定されている。
固定ドラム取り付け部材３は、固定ドラム４（ネジ取り付け部１６を含む。）を固定ドラム取り付け面１４に当接して固定する。これにより、固定ドラム４のリード１０は、磁気テープが回転ドラムにほぼ適正に巻き付くように、磁気テープを案内する。
【００２６】
調整ネジ６ａ〜６ｄは、調整ネジ取り付け穴５に取り付けられ（調整ネジ６ａ〜６ｄは、固定ネジ２よりも回転ドラム１３に対して外側に取り付けられている。）、その先端が、固定ドラム取り付け面１４と実質的に同じ側に有る（実施の形態においては固定ドラム取り付け面１４と略平行である）固定ドラム取り付け部材３の面（これに代えて、固定ドラム取り付け面１４でも良い。）に当接して又は隙間を介して向かい合う。
調整ネジ６ａは、回転する磁気ヘッドが規定する平面に対して傾斜する、固定ドラム４の外周上の磁気テープ走行面１５の入側の端の近傍に取り付けられている。調整ネジ６ｂ及び６ｃは、固定ドラム４の外周上の磁気テープ走行面１５の入側の端と出側の端との略中間位置の近傍に取り付けられている。調整ネジ６ｄは、固定ドラム４の外周上の磁気テープ走行面１５の出側の端の近傍に取り付けられている。
【００２７】
図２に示すように、調整ネジ取り付け穴５の近傍において、ネジ取り付け部１６（固定ドラム４側）と固定ドラム取り付け部材３との間には、隙間（調整ネジを取り付けない状態において、その長さをｄとする。）が設けられている（調整ネジ６ｄの近傍を図示するが、他の調整ネジの近傍についても、基本的には同様の構造である。）。例えば調整ネジ６ｄを締め付けると、その先端が固定ドラム取り付け部材３を圧迫し、距離ｄがわずかに広がる。固定ドラム４と固定ドラム取り付け部材３とを密着させる固定ネジ２と、固定ドラム４と固定ドラム取り付け部材３とを引き離す調整ネジ６ｄとの間に応力が発生する。その応力により固定ドラム４が変形する。その結果、固定ドラム４のリード１０の形状が修正され、磁気テープが回転ドラムに適正に巻き付く。
固定ドラム取り付け部材３及び調整ネジ６ａ〜６ｄの剛性は、固定ドラム４の剛性よりも高くする。
【００２８】
通常、正しいトラック位置及び正確なトラックの直線性を有する記録済み磁気テープ（基準テープ）を調整対象であるヘリカルスキャン型磁気テープ制御装置で走行させ、その再生信号のエンベロープ波形（再生波形）を観察しながら、調整ネジ６ａ〜６ｄを調整して、磁気テープの走行調整を行う。
基準テープは、高い精度でトラックパターンを形成するように特別に調整されたヘリカルスキャン型磁気テープ制御装置で記録された磁気テープである。この磁気テープに形成されたトラックの直線性等の精度は、記録済みの磁気テープに磁性粉を付着させて視覚的に認識可能にし、そのトラックパターンを光学測定することにより確認できる。
【００２９】
再生波形がトラックの中央部分で変化した場合、調整ネジ６ｂ、６ｃを調整し、再生波形がトラックの入側で変化した場合は調整ネジ６ａを調整し、再生波形がトラックの出側で変化した場合は調整ネジ６ｄを調整する。
基準テープを走行させ、その再生波形を観察しながら再生信号のエンベロープ波形が許容される値になるまで、調整ネジ６ａ〜６ｄを回転させて調整を行う。調整後、調整ネジ６ａ〜６ｄの回転位置が変化しないように、調整ネジ６ａ〜６ｄを接着剤その他によりロックする。これにより、固定ドラム単体ではリード形状が非直線的なドラムアセンブリのリード形状を適正に修正できる。磁気記録再生装置において、磁気ヘッドの軌跡の直線性（トラッキングリニアリティ）を正確に修正できる。
【００３０】
従来は、再生信号のエンベロープ波形の振幅値が許容範囲に収まらないドラムアセンブリについては、ドラムアセンブリそのものを交換して修理していた。本発明により、そのようなドラムアセンブリについても、トラッキングリニアリティを規格内に調整することができる。トラッキングリニアリティ不良に起因する修理時間が削減され、ドラムアセンブリの歩留まりが向上する。これにより、安価なヘリカルスキャン型磁気テープ制御装置を実現できる。
【００３１】
調整ネジ６ｂ及び６ｃを調整ネジ取り付け穴５に取り付けられたネジ取り付け部１６について、説明する。
２個の調整ネジ６ｂ及び６ｃを取り付けたネジ取り付け部１６が固定ドラム４の円周方向の隣接部位から固定ドラム４の半径方向に突起している。固定ネジ取り付け穴１７の近傍において固定ドラム取り付け部材３の上面（固定ドラム取り付け面）に突起１２が設けられており、固定ドラム４の底面は固定ドラム取り付け面１４と、突起１２のところで当接している。回転ドラム１３の中心と固定ネジ取り付け穴１７とを結ぶ直線の両側では、ネジ取り付け部１６と固定ドラム取り付け面１４との間に隙間が設けられている
【００３２】
ネジ取り付け部１６に、２つの調整ネジ取り付け穴５（それぞれ調整ネジ６ｂ及び６ｃが取り付けられている。）が、回転ドラム１３の中心と固定ネジ取り付け穴１７とを結ぶ直線に対して、略線対称の位置に設けられる、
片側の調整ネジ（例えば６ｂ）を締め付けることにより、突起１２（固定ドラム取り付け面１４と固定ドラム４の底面とが当接する点）が支点となり、締め付けた側のリード（例えば調整ネジ６ｂの側）は高く、逆側（例えば調整ネジ６ｃの側）は低くできる。調整ネジ６ｂ又は６ｃを調整することにより、両方向にリードを修正することができる。
【００３３】
実施の形態１において、ネジ取り付け部１６（固定ドラム４側）と固定ドラム取り付け部材３とは、固定ネジ取り付け穴１７（固定ネジ２が取り付けられている。）の近傍の突起部１２でのみ接しており、それ以外の部分では、ネジ取り付け部１６（固定ドラム４側）と固定ドラム取り付け部材３とは所定の間隔を持って略平行に配置されている。これに代えて、回転ドラムの中心と第２のネジ取り付け穴とを結ぶ直線に沿って、固定ドラム取り付け部材３の上面（固定ドラム取り付け面）に線状の突起１２を設け、固定ドラム４の底面と固定ドラム取り付け面１４とが当接するように構成しても良い。
実施の形態１の構成に代えて、固定ドラム４の底面に突起を設け、その突起が固定ドラム取り付け部材３の上面（固定ドラム取り付け面）と当接しても良い。実施の形態１の構成に代えて、ネジ取り付け部１６の底面と固定ドラム取り付け面１４とが一様に当接しても良い（回転ドラム１３の中心と固定ネジ取り付け穴１７とを結ぶ直線の両側においても、ネジ取り付け部１６と固定ドラム取り付け面１４との間に隙間がない。）。
【００３４】
《実施の形態２》
図４を用いて本発明の実施の形態２のヘリカルスキャン型磁気テープ制御装置について説明する。実施の形態２のヘリカルスキャン型磁気テープ制御装置のドラムアセンブリは、実施の形態１（図１、図３）に類似する全体構成を有する。図４は、実施の形態２のヘリカルスキャン型磁気テープ制御装置の固定ドラムと固定ドラム取り付け部材との接合部分の拡大図である。図４において（調整ネジ６ｄの近傍を図示するが、他の調整ネジの近傍についても、基本的には同様の構造である。）、実施の形態１と同一又は類似の部品には同一の符号を付している。
【００３５】
実施の形態１（図２）においては、調整ネジ６ａ〜６ｄを締め付けると、その先端が固定ドラム取り付け部材３を圧迫し、固定ドラム４と固定ドラム取り付け部材３との距離ｄがわずかに広がり、これに基づく応力により固定ドラム４を変形させた。実施の形態２（図４）においては、調整ネジ６ａ〜６ｄを締め付けると、調整ネジ６ａ〜６ｄの頭が、固定ドラム３を固定ドラム取り付け部材３の側に近づける方向に、固定ドラム３を圧迫し、これに基づく応力により固定ドラム４を変形させる（固定ドラム４を実施の形態１と反対の方向に変形させる）。それ以外の点は、実施の形態１と同一である。以下、図４を説明する。
【００３６】
図４において、調整ネジ取り付け穴１９の近傍において、ネジ取り付け部１６（固定ドラム４側）と固定ドラム取り付け部材３との間には、隙間（調整ネジを取り付けない状態において、その長さをｄとする。）が設けられている。実施の形態２において、ネジ取り付け部１６は、調整ネジ取り付け穴５（内面にネジがきってある。）に代えて、調整ネジ貫通穴１８を有する。固定ドラム取り付け部材３は、ネジ取り付け部１６の調整ネジ貫通穴１８に対応する位置に調整ネジ取り付け穴１９を有する。実施の形態２において、調整ネジ取り付け穴１９は、固定ドラム取り付け部材３を貫通して設けられている。調整ネジ６ａ〜６ｄの先端が奥に当たらないだけの深さを有するものであれば、調整ネジ取り付け穴１９は固定ドラム取り付け部材３を貫通していなくても良い。
【００３７】
調整ネジ６ａ〜６ｄは、調整ネジ貫通穴１８と隙間とを通って、調整ネジ取り付け穴１９に取り付けられる。例えば調整ネジ６ｄを締め付けると、その頭が固定ドラム４を固定ドラム取り付け部材３に近づける方向に圧迫し、距離ｄがわずかに狭くなる。固定ドラム４と固定ドラム取り付け部材３とを密着させる固定ネジ２と、固定ドラム４と固定ドラム取り付け部材３とを更に引き寄せる調整ネジ６ｄとの間に応力が発生する。その応力により固定ドラム４が変形する。その結果、固定ドラム４のリード１０の形状が修正され、磁気テープが回転ドラムに適正に巻き付く。
【００３８】
固定ドラム取り付け部材３及び調整ネジ６ａ〜６ｄの剛性は、固定ドラム４の剛性よりも高くする。好ましくは、固定ネジ２の近傍において、固定ドラム４と固定ドラム取り付け部材３とが密着する面積を小さくする（特に、固定ネジ２から調整ネジ６ａ〜６ｄに向かう方向において、固定ドラム４と固定ドラム取り付け部材３とが密着する部分の肉厚を薄くする。）。これにより、一定の応力により引き起こされる固定ドラム４の変形量が大きくなる。
【００３９】
本実施の形態では、ネジ取り付け部１６（固定ドラム４側）と固定ドラム取り付け部材３とは３箇所（４本の調整ネジ）で結合されているが、更に少ない箇所（又は更に少ない調整ネジ）又は更に多くの箇所（又は更に多くの調整ネジ）で結合しても良い。
上記の実施の形態においては、固定ドラム４の外周上の磁気テープ走行面１５の入側の端と出側の端との略中間位置の近傍にのみ、双方向に走行調整が可能な２つの調整ネジ６ｂ及び６ｃを設けた。しかし、これに限られるものではなく、他の場所、例えば固定ドラム４の外周上の磁気テープ走行面１５の入側の端の近傍及び／又は出側の端の近傍に、双方向に走行調整が可能な複数の調整ネジを設けても良い。
実施の形態１の構成と、実施の形態２の構成とを組み合わせても良い。
【００４０】
【発明の効果】
以上のように、本発明によれば、固定ドラムのリード形状を修正し、磁気ヘッドが磁気テープ上を走行する軌跡（トラッキングリニアリティ）が規格に適合するように磁気テープの走行調整を行うことが可能であり、互換性も含めた記録再生特性の良いヘリカルスキャン型磁気テープ制御装置を実現できるという有利な効果が得られる。
本発明によれば、固定ドラムのリードを修正可能である高さの低いヘリカルスキャン型磁気テープ制御装置を実現できるという有利な効果が得られる。
【図面の簡単な説明】
【図１】実施の形態１及び２のヘリカルスキャン型磁気テープ制御装置のドラムアセンブリの全体図
【図２】実施の形態１のヘリカルスキャン型磁気テープ制御装置の固定ドラムと固定ドラム取り付け部材との接合部分の拡大図
【図３】実施の形態１及び２のヘリカルスキャン型磁気テープ制御装置のドラムアセンブリの要部の上面図
【図４】実施の形態２のヘリカルスキャン型磁気テープ制御装置の固定ドラムと固定ドラム取り付け部材との接合部分の拡大図
【図５】従来例のヘリカルスキャン型磁気テープ制御装置のドラムアセンブリの全体図
【符号の説明】
１、５０１    ドラムアセンブリ
２、５０２    固定ネジ
３    固定ドラム取り付け部材
４、５０２    固定ドラム
５、１９、５０８    調整ネジ取り付け穴
６ａ、６ｂ、６ｃ、６ｄ、５０９    調整ネジ
１０、５０３    リード
１１    貫通穴
１２    突起部
１３、５１１    回転ドラム
１４    固定ドラム取り付け面
１５    磁気テープ走行面
１６    ネジ取り付け部
１７    固定ネジ取り付け穴
１８    調整ネジ貫通穴
５０４    プレート
５０５    ガイドプレート
５０６    ガイドプレート取り付けネジ
５０７    ホルダ
５１０    シャフト
５１２    シャフト穴
【図１】
2005025855.tif 000003
【図２】
2005025855.tif 000004
【図３】
2005025855.tif 000005
【図４】
2005025855.tif 000006
【図５】
2005025855.tif 000007